(57)【要約】      （修正有）【課題】表面の畳表にように非常に足の触りの良好な感触を得ると共に、い草の再生い草芯材と裏面のキルティング状の下地を一体に重層して充分にじゅうたんの弾力性を達成し、且つ表面を所定の間隔で交互に色違いに配設し、自然と調和する美的な感覚を得るい草じゅうたんを提供する。【解決手段】じゅうたん本体１は、底部にキルティング布地を設け、上部にい草による所定の厚さによる再生い草芯材を接着剤で接合し、該再生い草芯材上部にい草を染色した所定巾の染色織成表地２を設け、該染色織成表地に隣接して色違いよりなる異色織成表地３を同一巾に交互に織成した草性じゅうたん。【選択図】図５
0003120981.tif 000002
【実用新案登録請求の範囲】
【請求項１】
各種形状の方形状のじゅうたん本体（１）は、底部にキルティングを施したキルティング布地（８）に設け、該キルティング布地（８）には、上部に畳表の端縁の不用部分を切断したい草による再生い草芯材（６）を接着剤（７）を以って接着し、該再生い草芯材（６）には、表面となる上部にい草を染色した所定巾の染色織成表地（２）を設け、該染色織成表地（２）に隣接して色違いよりなる異色織成表地（３）を該染色織成表地（２）とやや同一所定巾に交互に織成したことを特徴とするい草製じゅうたん。
【請求項２】
請求項１のじゅうたん本体（１）の外周には、木綿製よりなる縁枠（１０）を縫着したことを特徴とする請求項１記載のい草製じゅうたん。
【請求項３】
前記請求項２記載のじゅうたん本体（１）を縦方向と横方向に複数枚を交互に組み合わせたことを特徴とする請求項２のい草製じゅうたん。
【考案の詳細な説明】
【技術分野】
【０００１】  この考案は、い草を目せき織りした表地を所定巾に色違いとして交互に織成し、この織成された表地の下面に畳表の両縁を切断して生ずるい草の屑部分を使用した再生い草芯材を介在し、下面にキルティングした布地を敷設したい草じゅうたんの構造に関するものである。
【背景技術】
【０００２】  従来この種の敷物は、じゅうたんの代用として畳表に縁取りしたものが使用されているのが一般的な事柄である。然し、この場合は、じゅうたんとしてのクッション製が皆無であると共に、畳表の色柄が無く、い草のみの単色のため、彩色による綺麗さや新鮮さが不足している現状である。
【考案の開示】
【考案が解決しようとする課題】
【０００３】  上記従来で述べている畳表に縁取りしたものを敷設しても、単なる上敷物であり、クッション等の弾性が無いため、じゅうたんと同等の作用をすることは不可能である。
また、この畳表の敷物では、一面がい草の単色のために工芸的でなく、歩行の際に弾性が無く非常に感触が悪いと云う欠点があった。
本考案は、従来の技術の有するこのような欠点に鑑みてなされたものであり、その目的とする所は、表面が畳表のように非常に足の触りの良好な感触を得ると共に、い草の再生い草芯材と裏面のキルティング状の下地を一体に重層して充分にじゅうたんの弾力性を達成し、且つ表面のい草面を所定の間隔で交互に色違いに配設し、自然と調和する美的な感覚を得るい草製じゅうたんを提供するものである。
【課題を解決するための手段】
【０００４】  本考案は、上記目的を達成するために、じゅうたん本体は、底部にキルティング布地を敷設し、その上部に畳表の縁を切断した不用部分のい草による再生い草芯材を接着剤を以って接着する。また、該再生い草芯材には、表面となる上部にい草を染色した所定巾の染色織成表地と、所定巾に隣接して該染色織成表地と色違いよりなる異色織成表地とを交互に織成したものである。
更に、該じゅうたん本体の外周には木綿製よりなる縁枠を縫着したものである。
また、該縁枠を設けた該じゅうたん本体を縦方向または横方向に複数枚を交互に組み合せたものである。
【考案の効果】
【０００５】  以上の様に構成されているので、本考案は、従来の畳面の敷物と異なって充分に弾力性があって、じゅうたんの役目を充分に果たす効果と、正方形状の場合では、１枚でも使用できると共に、数枚接続すれば、適宜のじゅうたんとして利用できる従来にない美しく新しい感触を有する効果がある。そして、じゅうたん本体の表面に使用する。い草を染色した所定巾の染色織成表地と、該染色織成表地に隣接して同一所定巾の異色よりなる異色織成表地を交互に配置して織成してあるので、表面の配色に著しく優れて美観を呈し、且つ表面に新しい図柄模様が現出し自然環境に優れている効果がある。また、該じゅうたん本体の底部にキルティング布地を敷設したので、敷設性が良好であると共に、折畳み等においては大変に体裁が良い効果がある。該キルティング布地の上部に接着剤を介して接着したい草の廃棄物を再生した再生い草芯材を介在したことにより、じゅうたんと同様に充分にクッション作用を達成できると共に、再生い草芯材を使用することにより、大変に経済的である効果がある。また、該じゅうたん本体の外周に設けた縁枠を木綿製としたことにより、古風感を充分に発揮できる効果と、該じゅうたん本体を縦横方向に複数枚組み合わせることにより、表面の色合いを自由に選定して、新しいい草製じゅうたんのイメージを現出できる美観の優れた効果もある。
【考案を実施するための最良の形態】
【０００６】  上記のように構成されているい草製じゅうたんは、じゅうたん本体（１）の１枚でも畳表の表面又は板の間にも自由に敷設して使用すると充分に和風のじゅうたんの役目を果し、また、広いじゅうたんとして使用する場合は、縦横方向に交互に複数枚を自由に組み合わせて各種の色合いに並列すれば、純和風製のじゅうたんとしての使用を可能としたものである。
【実施例】
【０００７】  次に、本考案の実施例を図面を参照して説明すると、図１に示す如く、い草製のじゅうたん本体（１）は、各種形状の方形状に形状され、その底部には、キルティングを施したキルティング布地（８）を敷設し、該キルティング布地（８）の上部には、畳表の製作時に不用となる切断された端縁のい草を以って再生い草芯材（６）を形成する。該再生い草芯材（６）は、核キルティング布地（８）との間に各種の接着剤（７）を介在して接合してある。【０００８】  該再生い草芯材（６）には、その上部に表面となるい草を染色した所定巾の染色織成表地（２）と、該染色織成表地（２）に隣接して色違いよりなる異色織成表地（３）を同一所定巾に交互に異色境界線（５）において交互に織成してある。
なお、実施例として該染色織成表地（２）は、グリーン系塩基性染料でやや薄目に染色したい草を使用して横巾は約１５ｃｍ前後の間隔に織成する。また、該染色織成表地（２）に隣接する該異色織成表地（３）は、無染色のい草をそのまま使用して約１５ｃｍ前後の横巾として交互に色違いに織成して１枚に仕上げたものである。【０００９】  次に、該染色織成表地（２）と、異色織成表地（３）との織成加工パターンを説明すると、図３に示す如く各々約１５ｃｍ前後の間隔で左右を入れ替えることで、染色い草の根本部分が色濃く、無染色い草の根本部分は白く強調され、左右の濃淡を表現している。なお、真っ直ぐになるい草を吟味し、根元と中間、先端の太さが揃うようにしてある。【００１０】  該じゅうたん本体（１）には、図２に示すように外周に木綿製よりなる縁枠（１０）を縫着してある。本考案は、化繊の縁枠に代えて木綿としたため、皺や弛み出ないように縁枠の張り方を充分に注意したものである。【００１１】  該じゅうたん本体（１）は、図５に示す如く、縦方向と横方向に交互に４枚組み合わせ、裏面の反射による色合いを違えて従来のい草製品のイメージを変化させてある。また、実施例では、４枚を組み合わせてあるが、枚数に関係なく、縦長、横長等に複数枚を交互に組み合わせて接続して使用する事もある。更に、該じゅうたん本体（１）は厚みがあるため、折畳んだ場合のつなぎ部分の糸を強い糸に選定してある。
【図面の簡単な説明】
【００１２】
【図１】  本考案のい草製のじゅうたんの全体斜面図である。
【図２】  同じく本考案の図１のＡ−Ａ線の縦断側面図である。
【図３】  本考案の表地となる染色織成表地と異色織成表地の交互の編成された一部欠除した拡大平面図である。
【図４】  同じく本考案のキルティング布地と再生い草芯材との接着状態の一部欠除した拡大断面図である。
【図５】  本考案のじゅうたん本体を複数枚交互に組み合わせた平面図である。
【符号の説明】
【００１３】  １          じゅうたん本体
２          染色織成表地
３          異色織成表地
５          異色境界線
６          再生い草芯材
７          接着剤
８          キルティング布地
１０        縁枠
１１、１３  経糸
１２、１４  緯糸
【図１】
0003120981.tif 000003
【図２】
0003120981.tif 000004
【図３】
0003120981.tif 000005
【図４】
0003120981.tif 000006
【図５】
0003120981.tif 000007